(57)【特許請求の範囲】
【請求項１】
天板を、複数の支脚と、各支脚同士を連結する連結フレーム杆とによって支持したテーブルのフレーム構造において、
前記支脚に天板受具を回動不能に支持し、該天板受具は、前記連結フレーム杆の端部に嵌合する嵌合突部と、該嵌合突部の左右側方を覆い、前記連結フレーム杆の対向する側面に当接、もしくは近接する側壁と、該左右の側壁の上部同士を連結し、その上面が前記左右の側壁よりも上方に突出し、その下面が前記連結フレーム杆の上面に当接、もしくは近接する連結片とを備えるとともに、前記天板の下面が、前記左右側壁の上面に当接、もしくは近接するとともに、前記天板の下面に、前記連結片が嵌合する切り欠き部を形成したことを特徴とするテーブルのフレーム構造。
【請求項２】
前記切り欠き部の左右幅を、前記連結片の左右幅と略同一とした請求項１に記載のテーブルのフレーム構造。
【請求項３】
前記天板受具から下向き突設した嵌合突軸を、前記支脚の上面に開口した嵌合孔に嵌合するとともに、前記支脚の上部を一部下方に向けて切り欠いて略垂直面を形成し、該略垂直面を前記天板受具の背面を略垂直に形成した天板受具背面と当接させることとによって、前記支脚に、前記天板受具を回動不能に支持した請求項１または２に記載のテーブルのフレーム構造。
【請求項４】
前記連結片よりも下方の位置において、前記左右の側壁の側面から左右外方に向けて水平板を延設し、該水平板と天板の下面とを螺着した請求項１乃至３のいずれかに記載のテーブルのフレーム構造。
【請求項５】
前記左右の側壁を上方に向けて傾斜する形状とした請求項１乃至４のいずれかに記載のテーブルのフレーム構造。
【請求項６】
前記連結フレーム杆は該連結フレーム杆に係止した連結金具を介して前記嵌合突部に螺着され、前記連結金具の上部が前記切り欠き部に嵌合している請求項１乃至５のいずれかに記載のテーブルのフレーム構造。
【発明の詳細な説明】
【技術分野】
【０００１】
本発明は、天板を、複数の支脚と、各支脚同士を連結する連結フレーム杆とによって支持したテーブルのフレーム構造に関する。
【背景技術】
【０００２】
天板を、複数の支脚と、各支脚同士を連結する連結フレーム杆とによって支持した従来のテーブルのフレーム構造は、パイプ状の脚（支脚）の上端に雌ネジ部材を打ち込んで脚に固定し、框材（連結フレーム杆）を嵌入できる嵌合溝を備えた結合部材（天板受具）をボルトにより雌ネジ部材に固定し、結合部材から延びる平板を甲板（天板）にネジ結合していた。（例えば、特許文献１参照）。
【０００３】
【特許文献１】実開昭５２−７７２０２号公報（第４，５図）
【発明の開示】
【発明が解決しようとする課題】
【０００４】
しかしながら、特許文献１におけるテーブルのフレーム構造は、結合部材を脚の上端に打ち込んだ雌ネジ部材にボルト結合するために、結合部材にボルト挿通孔が、雌ネジ部材に雌ネジ孔が形成されており、ボルトの締め付け力が少しでもゆるむと、結合部材はボルトとボルト挿通孔との間隙分だけ脚に対して移動してしまい、堅牢なフレーム構造が得られなかった。しかも雌ネジ部材の雌ネジ孔と、脚に形成したボルトのための透孔と、結合部材のボルト挿通孔が一致した状態でないと組み付けることができず、組立作業性に難があった。また、框材は結合部材の嵌合溝に嵌合しているだけなので、結合部材の框材に対する支持強度が充分ではなく、その嵌合部は外部から直接見えるため美感上も好ましいものとは言えなかった。
【０００５】
本発明は、このような問題点に着目してなされたもので、組立作業性がよく、天板受具の連結フレーム材に対する支持強度が充分であり、堅牢で美感に優れたテーブルのフレーム構造を提供することを目的とする。
【課題を解決するための手段】
【０００６】
上記課題を解決するために、本発明の請求項１に記載のテーブルのフレーム構造は、天板を、複数の支脚と、各支脚同士を連結する連結フレーム杆とによって支持したテーブルのフレーム構造において、前記支脚に天板受具を回動不能に支持し、該天板受具は、前記連結フレーム杆の端部に嵌合する嵌合突部と、該嵌合突部の左右側方を覆い、前記連結フレーム杆の対向する側面に当接、もしくは近接する側壁と、該左右の側壁の上部同士を連結し、その上面が前記左右の側壁よりも上方に突出し、その下面が前記連結フレーム杆の上面に当接、もしくは近接する連結片とを備えるとともに、前記天板の下面が、前記左右側壁の上面に当接、もしくは近接するとともに、前記天板の下面に、前記連結片が嵌合する切り欠き部を形成したことを特徴としている。
この特徴によれば、連結フレーム杆が天板受具の嵌合突部に嵌合し、左右側面と上面とが、それぞれ側壁と連結片の下面により当接もしくは近接支持されるので、天板受具に対して、連結フレーム杆の位置が決まりやすいばかりでなく、天板受具の連結フレーム材に対する支持強度も強化される。また、連結片の上面を上方に突出して天板下面の切り欠きに嵌合させることで、天板に対しての天板受具の位置も決まりやすく、支脚、天板受具及び天板の３者が堅牢に組み付けられると同時に、その組立時の作業性も良い。更に連結フレーム杆の天板受具との連結箇所を側壁により隠すことができるので、美感上の観点からも好ましいフレーム構造が提供できる。
【０００７】
本発明の請求項２に記載のテーブルのフレーム構造は、請求項１に記載のテーブルのフレーム構造であって、前記切り欠き部の左右幅を、前記連結片の左右幅と略同一としたことを特徴としている。
この特徴によれば、連結片が左右にぶれなくなるので、より天板受具の位置が決まりやすい。
【０００８】
本発明の請求項３に記載のテーブルのフレーム構造は、請求項１または２に記載のテーブルのフレーム構造であって、前記天板受具から下向き突設した嵌合突軸を、前記支脚の上面に開口した嵌合孔に嵌合するとともに、前記支脚の上部を一部下方に向けて切り欠いて略垂直面を形成し、該略垂直面を前記天板受具の背面を略垂直に形成した天板受具背面と当接させることとによって、前記支脚に、前記天板受具を回動不能に支持したことを特徴としている。
この特徴によれば、支脚と天板受具とが、嵌合突軸の嵌合と、略垂直な面同士の当接で位置決めされるので、天板受具は支脚に対し動きにくくなり、さらに天板に対する支脚および天板受具の取り付けの位置決めがしやすくなる。
【０００９】
本発明の請求項４に記載のテーブルのフレーム構造は、請求項１乃至３のいずれかに記載のテーブルのフレーム構造であって、前記連結片よりも下方の位置において、前記左右の側壁の側面から左右外方に向けて水平板を延設し、該水平板と天板の下面とを螺着したことを特徴としている。
この特徴によれば、天板受具が一対の左右側壁と一対の左右水平板とで構成されるので、天板受具自体を、外力に対して支持力の高い堅牢な構造体にすることができる。
【００１０】
本発明の請求項５に記載のテーブルのフレーム構造は、請求項１乃至４のいずれかに記載のテーブルのフレーム構造であって、前記左右の側壁を上方に向けて傾斜する形状としたことを特徴としている。
この特徴によれば、側壁を上方に向けて傾斜させたので、仮に幅狭の天板を支持するために、連結フレーム杆を必要としない場合に、嵌合突部を効果的に遮蔽でき、また、外部からの側壁の視認面積が狭くなるので、天板受具が外部に目立たず、優れた外観が得られる。
【００１１】
本発明の請求項６に記載のテーブルのフレーム構造は、請求項１乃至５のいずれかに記載のテーブルのフレーム構造であって、前記連結フレーム杆は該連結フレーム杆に係止した連結金具を介して前記嵌合突部に螺着され、前記連結金具の上部が前記切り欠き部に嵌合していることを特徴としている。
この特徴によれば、連結金具の上部の嵌合位置に、連結片の嵌合のために形成した切り欠き部を利用できるので、新たに連結金具位置決めのための切り欠き部を天板に形成する必要がなく、この位置決めされた連結金具が天板と天板受具に固定されることにより、連結フレーム杆が支脚に対し位置ズレすることなく固定できる。
【発明を実施するための最良の形態】
【００１２】
本発明の実施例を以下に説明する。
【実施例】
【００１３】
図１は、本実施例におけるテーブルの全体像を示す斜視図であり、図２（ａ）および図２（ｂ）は天板受具および連結金具を示す斜視図であり、図３は、支脚に天板受具を取り付ける前および組み立て後の状態を示す斜視図であり、図４は、天板受具を介して天板の角部に取り付けられる支脚および連結フレーム杆と連結金具を示す分解組立斜視図であり、図５は、天板受具および連結金具によって天板の角部に支脚が位置固定された状態を示す断面図であり、図６は、天板受具と天板との連結過程を示す斜視図である。このテーブル１は、主に会社や学校等の会議および業務テーブルとして利用されている。以下、本実施例の説明において、図１におけるテーブル１の天板２の支脚４側を下方とし、テーブル１の天板２の中央を内方、天板２の四隅（角部２ａ）を外方として説明する。
【００１４】
図１に示されるように、上面視矩形の天板２の下面３における４箇所の角部２ａには、下方に向けて延設されるアルミ等の金属や硬質プラスチック材から成型された４本の支脚４が各々延設されている。下面３の両側方には、２本の支脚４，４の上部５，５を互いに連結するアルミやスチール等で成型された中空状の金属製の連結フレーム杆６がそれぞれ下面３に沿って設けられている。この連結フレーム杆６の屈曲した両端部７，７は、後述において詳述する連結金具９および天板受具１０によって、２本の支脚４，４および天板２に連結固定されている。
【００１５】
さらに、両連結フレーム杆６，６は、下面３に沿って互いに平行に延びた２本の連結補強杆８，８に連結されており、連結フレーム杆６のフレーム連結強度が高められるとともに、これら連結フレーム杆６および連結補強杆８によって、間接的に４本の支脚４が連結されることで、天板２および天板２に載置される物品等の荷重に対して、支持強度の向上を図っている。
【００１６】
図２（ａ）および図２（ｂ）に示されるように、天板受具１０および連結金具９について説明する。尚、本実施例のテーブル１に用いられる複数の天板受具１０，連結金具９，支脚４および連結フレーム杆６のそれぞれの各部品は同一であるため、本実施例においては天板２の４つの角部２ａの内、１箇所を中心として、他の３箇所を割愛して以下に説明する。
【００１７】
天板受具１０は、アルミやアルミ合金等の金属材で成型され、前述の連結フレーム杆６の屈曲した端部７を嵌合する嵌合突部１１と、嵌合突部１１の側方を覆うように設けられた左右一対の側壁１２，１２と、この一対の側壁１２，１２同士の上部を連結するように、その上面が側壁１２，１２よりも上方に突出された連結片１３と、一対の側壁１２，１２から外方に向けて延設された水平板１４，１４と、この水平板１４，１４と同一平面で連接した上面視略ひし型形状の支脚連結板１７と、嵌合突部１１の下方に設けられた連結頭部１０ａと、から成型されている。
【００１８】
嵌合突部１１には、上方に向けて傾斜する傾斜面１１ｃが形成され、この傾斜面１１ｃに直交する上方斜め方向に向けて締結ボルト穴１１ａが穿設されている。支脚連結板１７には、中央位置に下向きに突設された嵌合突軸１６が設けられ、その周囲の３箇所に等間隔でネジ貫通孔１７ａが上下方向に向けて穿設されている。連結頭部１０ａの支脚連結板１７側は、略垂直面の支脚当接面１５が形成され、連結頭部１０ａの略中央部には支脚取付用貫通孔１５ａが水平方向に穿設されている。
【００１９】
嵌合突部１１と連結片１３の間には、上下方向に貫通する上面視矩形の貫通開口部１８が形成されている。両水平板１４，１４には、それぞれ２箇所に所定間隔で上下方向に貫通する天板取付ボルト貫通孔１４ａ，１４ａが穿設されている。両側壁１２，１２は連結頭部１０ａ側から連結片１３の上方に向けて傾斜した面で構成されている。
【００２０】
連結金具９は、下端に下方から上方に向けて凹設されたボルト収納凹部９ｃと、その周囲を囲繞するように外方に向けて突設された係止周端縁９ｂと、上端に設けられた係止爪９ａと、から成型されており、ボルト収納凹部９ｃの係止爪９ａ側の受け傾斜面９ｄにはこの受け傾斜面９ｄに直交する方向に締結ボルト貫通孔９ｅが穿設されている。
【００２１】
図３に示されるように、支脚４の天板受け側である上部５には、内側の上端面の一部が下方に向けて垂直方向に切り欠かれた垂直面５ｃが形成され、この上端面の形状が前述した天板受具１０の支脚連結板１７と略同一形状の上面視ひし型に形成されている。垂直面５ｃには水平方向に向くネジ穴５ｄ（図５参照）が穿設されている。上部５の上端面には、中央位置に下向きに嵌合孔５ａが穿設され、その周囲の３箇所に等間隔で下方に向けてネジ穴５ｂが穿設されている。
【００２２】
次いで、支脚４と天板受具１０との取り付けについて説明すると、まず支脚４の上端面に穿設した嵌合孔５ａに支脚連結板１７から突設した嵌合突軸１６を嵌入させながら天板受具１０の支脚連結板１７を支脚４の上端面に載置する。このとき支脚４の垂直面５ｃと支脚当接面１５とが当接するような寸法構成になっている。これにより支脚４に天板受具１０が仮固定され、この載置位置において、各ネジ穴５ｂに対して各ネジ貫通孔１７ａが垂直方向で同位置に重なるとともに、ネジ穴５ｄに対して支脚取付用貫通孔１５ａが水平方向で同位置に重なる。
【００２３】
そこで、３本の支脚取付ネジ２２を垂直方向にそれぞれ各ネジ貫通孔１７ａを介して、各ネジ穴５ｂに螺着するとともに、支脚取付ネジ２３を水平方向に支脚取付用貫通孔１５ａを介して、ネジ穴５ｄに螺着することで、支脚４の上部５に対して天板受具１０が回動不能に固着される。このようにして、支脚４と天板受具１０とが、嵌合突軸１６の嵌合と、略垂直な面同士である垂直面５ｃと支脚当接面１５の当接で位置決めされるので、天板受具１０は支脚４に対し動きにくくなり、天板２に対する支脚４および天板受具１０の取り付けの位置決めがしやすい構成となる。
【００２４】
次に、図４〜図６に基づいて天板受具１０を備えた支脚４の天板２への取り付け及び、連結金具９を用いた天板受具１０と連結フレーム杆６との連結について以下に説明する。
【００２５】
図４に示されるように、支脚４の上部５に連結された天板受具１０の支脚連結板１７および水平板１４を天板２の角部２ａに載置するとともに、連結片１３を下面３の切り欠き部３ａの内方側に嵌合する。尚、切り欠き部３ａの左右幅と連結片１３の左右幅は略同一に形成されたおり、切り欠き部３ａに対して連結片１３が左右にぶれなくなるので、より天板受具１０の位置が決まりやすい構成になっている。
【００２６】
そして、連結フレーム杆６の屈曲した端部７の両側面７ａ，７ａを両側壁１２，１２に当接もしくは近接させながら、嵌合突部１１に屈曲した端部７の先端を嵌合する。この連結フレーム杆６の嵌合位置では、連結フレーム杆６の上面７ｂに形成された小さな矩形貫通孔７ｃは連結片１３と嵌合突部１１の間の貫通開口部１８と連通すると共に、切り欠き部３ａにも連通する。
【００２７】
次いで、連結金具９の係止爪９ａを大きな矩形貫通孔７ｅ、小さな矩形貫通孔７ｃに挿通し、切り欠き部３ａに嵌入させる。この嵌入時には連結金具９の係止周端縁９ｂが大きな矩形貫通孔７ｅの外面をなす連結フレーム杆６の下面７ｄで係止され、前後左右方向への移動が規制される。そこで、締結ボルト１９をボルト収納凹部９ｃから挿通しながら、締結ボルト貫通孔９ｅに挿通し、嵌合突部１１の締結ボルト穴１１ａに向けて螺合していく。
【００２８】
図５に示されるように、締結ボルト穴１１ａに対して締結ボルト１９の螺合が継続されていくと、係止爪９ａが小さな矩形貫通孔７ｃを介して切り欠き部３ａに嵌入され、天板受具１１と連結フレーム杆６が連結金具９により強固に締結される。このとき連結フレーム杆６の上面７ｂは連結片１３の下面に当接もしくは近接し、天板受け具１０の左右の側壁１２との相乗作用で、連結フレーム杆６の移動が拘束される。
【００２９】
さらに、締結ボルト１９の締め込みによる締結により、天板２の切り欠き部３ａの内方側に当接して嵌合された連結片１３と、切り欠き部３ａの外方側に当接して係止された係止爪９ａとの互いに離間されていき、切り欠き部３ａ内に連結片１３と係止爪９ａが移動不能に収容される。
【００３０】
このようにして、連結片１３の嵌合のために形成した切り欠き部３ａを連結金具９の係止爪９ａの嵌合に利用することができるので、新たに連結金具９の位置決めのための切り欠き部３ａを天板２に形成する必要がなく、この位置決めされた連結金具９が天板２と天板受具１０に固定されることにより、連結フレーム杆６は支脚４に位置ズレすることなく固定される。
【００３１】
以上の説明から、連結フレーム杆が天板受具の嵌合突部に嵌合し、左右側面と上面とが、それぞれ側壁と連結片の下面により当接もしくは近接支持されるので、天板受具に対して、連結フレーム杆の位置が決まりやすいばかりでなく、天板受具の連結フレーム材に対する支持強度も強化される。また、連結片の上面を上方に突出して天板下面の切り欠きに嵌合させることで、天板に対しての天板受具の位置も決まりやすく、支脚、天板受具及び天板の３者が堅牢に組み付けられると同時に、その組立時の作業性も良い。
【００３２】
しかも、締結ボルト貫通孔９ｅおよび締結ボルト穴１１ａは、ボルト受け傾斜面９ｄおよび傾斜面１１ｃに対して直交して穿設されていることから、締結ボルト１９の頭部をボルト受け傾斜面９ｄに確実に押圧させることができる。
【００３３】
尚、連結片１３および係止爪９ａは、天板２の下面３に凹設された切り欠き部３ａ内に収容されているので、連結フレーム杆の上面７ｂおよび天板受具１０の上面が、天板２の下面３に対して面一で当接され、天板２を安定して支持可能になっている。また、天板受具１０のネジ貫通孔１７ａおよび支脚取付貫通孔１５ａを介して支脚４の上部５に各々連結された支脚取付ネジ２２，２３は、図示されるように天板２の下面３および天板受具１０の連結頭部１０ａによって外部から遮蔽され見栄えがよい。
【００３４】
そして、図６に示されるように、４本の天板取付ボルト２１を水平板１４の各天板取付ボルト貫通孔１４ａを介して、それぞれ対応する位置に形成されたボルト穴３ｂに螺合することで水平板１４が下面３に螺着されて連結され、天板２と支脚４の取り付けが完了する。
【００３５】
このように、天板受具１０が一対の左右側壁１２，１２と一対の左右水平板１４，１４とで構成されるので、天板受具１０自体を、外力に対して支持力の高い堅牢な構造体となっている。しかも、天板受具１０と連結フレーム杆６の屈曲した端部７先端との連結箇所は、両側壁１２，１２によって外部から遮蔽されるので、美感上の観点からも好ましいフレーム構造が提供される。
【００３６】
そして、両側壁１２の傾斜した面によって、仮に幅狭の天板を支持するために、連結フレーム杆６を必要としない場合に、嵌合突部１１を効果的に遮蔽できる。また、外部からの側壁１２の視認面積が狭くなるので、天板受具１０が外部から目立たず、優れた外観が得られる。また、連結金具９に下方に向けて開口するボルト収納凹部９ｃによって、締結ボルト１９の頭部も外部から遮蔽することができる。
【００３７】
以上の説明により実施例におけるテーブル１は、天板受具１０を用いたことにより、支脚４と天板２および連結フレーム杆６との組立作業性が向上されるとともに、天板受具１０の連結フレーム杆６に対する支持強度が充分保たれ堅牢な構成となり、且つ美感に優れたフレーム構造を備えるテーブルとなっている。
【００３８】
次に、本実施例の変形例を図７に基づいて説明する。図７は、テーブルのフレーム構造の斜視図である。尚、以下の変形例において前述の実施例と同様の構造部分に関しては、同一の符号を付すことにより詳細な説明は省略することにする。
【００３９】
本発明の連結フレーム杆の形状は前述の実施例に限定されるものではなく、図７に示されるように、図示されるテーブル２５の天板２の下面３には、天板２の中央位置で交差するクロス型の連結フレーム杆２６が設けられ、上記前述の実施例で図示されたテーブル１の連結補強杆８（図１参照）を使用しないタイプのテーブルである。
【００４０】
このようなクロス型の連結フレーム杆２６であっても、前述した天板受具１０および連結金具９を用いることで、支脚４、天板受具１０及び連結フレーム杆２６を天板２に堅牢に組み付けられると同時に、その組立時の作業性も良い。更に連結フレーム杆２６の端部２６と天板受具１０との連結箇所を側壁１２により隠すことができるので、美感上の観点からも好ましいフレーム構造が提供される。
【００４１】
以上、本発明の実施例を図面により説明してきたが、具体的な構成はこれら実施例に限られるものではなく、本発明の要旨を逸脱しない範囲における変更や追加があっても本発明に含まれ、例えば、上記実施例では、連結金具９を介して連結フレーム杆６が締結ボルト１９で天板受具１０の嵌合突部１１に対して、簡便且つ、より強固に嵌合されていることから好ましいが、本発明はこれに限定されるものではなく、例えば、連結金具９を用いることなく、嵌合突部１１に連結フレーム杆６を嵌合する構成であってもよい。
【００４２】
また、上記実施例では、支脚４および天板受具１０に略垂直な面同士である垂直面５ｃと支脚当接面１５を形成し、互いの面５ｃ，１５を当接したことから、天板受具１０は支脚４に対し動きにくくなり、天板２に対する取り付けが行いやすいことから好ましいが、本発明はこれに限定されるものではなく、支脚４および天板受具１０に互いに当接する垂直面を形成することなく、従来公知の角柱の支脚を用いて一側面を支脚当接面１５に当接するようにしても良い。
【図面の簡単な説明】
【００４３】
【図１】本発明の実施例におけるテーブルの全体像を示す斜視図である。
【図２】（ａ）および（ｂ）は天板受具および連結金具を示す斜視図である。
【図３】支脚に天板受具を取り付ける前および組み立て後の状態を示す斜視図である。
【図４】天板受具を介して天板の角部に取り付けられる支脚および連結フレーム杆と連結金具を示す分解組立斜視図である。
【図５】天板受具および連結金具によって天板の角部に支脚が位置固定された状態を示す断面図である。
【図６】天板受具と天板との連結過程を示す斜視図である。
【図７】本実施例の変形例を示すテーブルのフレーム構造の斜視図である。
【符号の説明】
【００４４】
１                テーブル（実施例）
２                天板
２ａ              角部
３                下面
３ａ              切り欠き部
３ｂ              ボルト穴
４                支脚
５                上部
５ａ              嵌合孔
５ｂ              ネジ穴
５ｃ              垂直面
５ｄ              ネジ穴
６                連結フレーム杆
７                屈曲した端部
７ａ              側面
７ｂ              上面
７ｃ              小さな矩形貫通孔
７ｄ              下面
７ｅ              大きな矩形貫通孔
８                連結補強杆
９                連結金具
９ａ              係止爪
９ｂ              係止周端縁
９ｃ              ボルト収納凹部
９ｄ              ボルト受け傾斜面
９ｅ              締結ボルト貫通孔
１０              天板受具
１０ａ            連結頭部
１１              嵌合突部
１１ａ            締結ボルト穴
１１ｃ            傾斜面
１２              側壁
１３              連結片
１４              水平板
１４ａ            天板取付ボルト貫通孔
１５              支脚当接面
１５ａ            支脚取付用貫通孔
１６              嵌合突軸
１７              支脚連結板
１７ａ            ネジ貫通孔
１８              貫通開口部
１９              締結ボルト
２０              連結ボルト
２１              天板取付ボルト
２２、２３        支脚取付ネジ
２５              テーブル（変形例）
２６              クロス型の連結フレーム杆
【図１】
0004680054.tif 000002
【図２】
0004680054.tif 000003
【図３】
0004680054.tif 000004
【図４】
0004680054.tif 000005
【図５】
0004680054.tif 000006
【図６】
0004680054.tif 000007
【図７】
0004680054.tif 000008